(57)【要約】      （修正有）【課題】マルチレイヤディスプレイ装置における操作性を向上させる。【解決手段】層状に配置された複数の表示部と、前記複数の表示部の前面側に配置されたタッチパネルと、前記タッチパネルに対する操作に応じて、前記複数の表示部のうちの何れかを、操作画面として設定する設定部と、を備える。前記設定部は、前記タッチパネルの同一位置に対する操作が所定時間継続してなされたときに、操作画面を切り替える。また、前記タッチパネルに対する操作が、該タッチパネルの中央部から外縁部に向かうスライド操作である場合に、操作画面を変更する。【選択図】図１９
2012074004.tif 000002
【特許請求の範囲】
【請求項１】
層状に配置された複数の表示部と、
前記複数の表示部の前面側に配置されたタッチパネルと、
前記タッチパネルに対する操作に応じて、前記複数の表示部のうちの何れかを、操作画面として設定する設定部と、
を備えることを特徴とするマルチレイヤディスプレイ装置。
【請求項２】
前記設定部は、前記タッチパネルの同一位置に対する操作が所定時間継続してなされたときに、操作画面を切り替えることを特徴とする、請求項１記載のマルチレイヤディスプレイ装置。
【請求項３】
前記設定部は、前記タッチパネルに対する操作が、該タッチパネルの中央部から外縁部に向かうスライド操作である場合に、操作画面を変更することを特徴とする、請求項１記載のマルチレイヤディスプレイ装置。
【請求項４】
前記複数の表示部のうち第１表示部に表示される画像データと、第２表示部に表示される画像データとが合成された合成画像データが入力される入力部と、
前記設定部の処理に応じて、前記表示画面の表示制御を行う表示制御部を更に備え、
前記設定部は、
前記タッチパネルに対する操作が所定時間継続してなされたとき、前記合成画像データ上の操作対象位置が、該画像データサイズの半分に相当する距離だけ変更されたものと判断することを特徴とする、請求項１記載のマルチレイヤディスプレイ装置。
【発明の詳細な説明】
【技術分野】
【０００１】
本発明は、複数の表示画面が層状に配置された、マルチレイヤディスプレイ装置に関する。
【背景技術】
【０００２】
複数の表示部が層状に配置されたＭＬＤ（Multi Layer Display）装置が開発されている。ＭＬＤ装置によれば、ユーザは、前側表示部の画像と後側表示部の画像が合成された合成画像を、観察することができる。
【０００３】
かかる合成画像では、その物体が何れの表示部に表示されているかによって、ユーザと表示物体の距離が異なる。ゆえに、表示部が単層である従来の表示装置に比べて、立体画像をより忠実に表示できる。
【０００４】
また、近年、デジタルサイネージ端末と呼ばれ、公共施設や屋外等に敷設され、広告情報などを表示する表示装置が登場している。ＭＬＤ装置をデジタルサイネージ端末として用いる場合、タッチパネルを搭載することが好ましい。例えば特許文献１では、タッチパネルにより前側表示部に対する操作ができる表示装置が開示されている。
【特許文献１】特開２００８−１９７６３４号公報
【発明の概要】
【発明が解決しようとする課題】
【０００５】
しかし、上記のようなＭＬＤ装置においては、前側の表示部だけでなく、後側の表示部に対しても操作可能であれば利便性が向上する。そこで、本発明はマルチレイヤディスプレイ装置における操作性を向上させることを目的とする。
【課題を解決するための手段】
【０００６】
本発明に係るマルチレイヤディスプレイ装置は、層状に配置された複数の表示画面と、前記複数の表示画面の前面側に配置されたタッチパネルと、前記タッチパネルに対する操作に応じて、前記複数の表示画面のうちの何れかを、操作対象画面として設定する設定部と、を備える。
【発明の効果】
【０００７】
本発明によれば、マルチレイヤディスプレイ装置における操作性が向上する。
【図面の簡単な説明】
【０００８】
【図１】本発明の第１実施形態に係るＭＬＤ装置１のブロック図である。
【図２】ＭＬＤ装置１の断面図である。
【図３】ＭＬＤ装置１において動作方式を設定するための画面の例である。
【図４】ＭＬＤ装置１が行う動作の流れ図（ステップＳ１〜Ｓ９）である。
【図５】ＭＬＤ装置１が行う動作の流れ図（ステップＳ１１〜Ｓ１９）である。
【図６】ＭＬＤ装置１が行う動作の流れ図（ステップＳ２１〜Ｓ２９）である。
【図７】各表示部に表示すべき修正前の画像を示す図である。
【図８】合成画像作成に当たり、修正した各画像を示す図である。
【図９】作成された合成画像の図である。
【図１０】本発明の第２実施形態に係るＭＬＤ装置１００のブロック図である。
【図１１】ＭＬＤ装置１００の断面図である。
【図１２】ＭＬＤ装置１００で用いられる画像データのフォーマットに関する説明図である。
【図１３】操作対象画面を切替える動作についての流れ図である。
【図１４】各表示画面における表示状態に関する説明図である。
【図１５】各表示画面における表示状態に関する説明図である。
【図１６】各表示画面における表示状態に関する説明図である。
【図１７】各表示画面における表示状態に関する説明図である。
【図１８】各表示画面における表示状態に関する説明図である。
【図１９】操作対象画面を切替える動作についての流れ図である。
【図２０】動作方式に関する各項目についての説明図である。
【発明を実施するための形態】
【０００９】
＜第１実施形態＞
（ＭＬＤ装置１の構成）
図１は、本実施形態に係るＭＬＤ装置のブロック構成を示す図である。図に示すようにＭＬＤ装置１は、タッチパネル１１、第１表示部１２、第２表示部１３、第３表示部１４、バックライト１５、入力制御部１６、表示制御部１７、ＣＰＵ（Central Processing Unit）１８、操作ボタン１９、内部メモリ２０、画像情報入力部２１、およびＡＶ信号入力インタフェース２２を備えている。
【００１０】
また図２は、ユーザの観察方向に平行な面を断面とした場合の、ＭＬＤ装置１の断面図である。ＭＬＤ装置１は、手前側が開口している筐体１０に対し、タッチパネル１１、第１表示部１２、第２表示部１３、第３表示部１４、およびバックライト１５が、手前側から奥側へ順に並ぶように配置されている。
【００１１】
タッチパネル１１は、上記の各表示部と同等の大きさを有し、かつ透明な材質で形成されている。ユーザの指がタッチパネル１１に触れた場合、タッチパネル１１は、タッチ位置を示す信号を生成する。この信号は、入力制御部１６を通じてＣＰＵ１８へ伝送される。
【００１２】
表示部１２、１３、１４は、液晶パネルである。
【００１３】
バックライト１５は、ＭＬＤ装置１の光源であり、蛍光管やＬＥＤ（Light Emitting Diode）等によって形成される。
【００１４】
入力制御部１６は、タッチパネル１１からの信号に基づいて、タッチパネル１１上のタッチ位置を認識する。認識結果は、ＣＰＵ１８に伝送される。
【００１５】
表示制御部１７は、表示部１２、１３、１４の各画素の光透過度を、内蔵メモリ２０又は画像情報入力部２１から伝送された画像信号に基づいて制御する。これにより、各表示部に画像が表示される。
【００１６】
ＣＰＵ１８は、ＭＬＤ装置１の全体的又は各部の制御を行う。
【００１７】
操作ボタン１９は、ユーザによって操作されるボタンである。
【００１８】
内蔵メモリ２０は、画像情報や、操作に関する設定情報を記憶する。また画像情報入力部２１には、ＡＶ信号入力インタフェース２２を介して、外部から画像情報が入力される。このインタフェース２２は、例えば有線ネットワーク(Ethernet（登録商標）)又は無線ネットワーク(無線LAN、無線WiMax等)からの信号を受信するものである。またインタフェース２２は、ＰＣ(Personal Computer)と接続されるＵＳＢ端末であっても良い。入力された画像情報は、一時的に内部メモリ２０に保存される。これにより、ＭＬＤ装置１は、様々な情報を表示することができる。また、様々なソフトウェアをインストールすることもできる。
【００１９】
（ＭＬＤ装置１の動作）
次に、ＭＬＤ装置１が行う動作を説明する。
【００２０】
ＭＬＤ装置１は、操作モードに関するユーザの指定を受付ける。例えば、操作ボタン１９又はタッチパネル１１の操作により、図３に示すようなアイコンを含む画像が第１表示部１２に表示される。ユーザは表示部１２に表示されたアイコン画像をタッチすることにより各項目の設定を行うことができる。
【００２１】
「操作画面」の項目は、「固定」と「可変」のモードからなる。「固定」が選択された場合、第１表示部１２のみが操作可能であり、他の表示部１３、１４は操作することができない。
【００２２】
「可変」が選択された場合、ユーザはタッチパネル１１を介して、全ての表示部に対する操作が可能となる。
【００２３】
「操作画面モード」の項目は、上記の「操作画面」が「可変」に設定されている場合に有効である。このときユーザは、「直接選択モード」と「順次遷移モード」のいずれかが選択できる。前者の場合、ユーザは任意の操作画面を直接的に指定できる。後者の場合、ユーザは所定の操作により操作画面を順次切り替えることができる。これについては後で詳しく述べる。
【００２４】
「自動復帰フラグ」の項目には、「ＯＮ」と「ＯＦＦ」がある。「ＯＮ」に設定されたとき、タッチパネル１１に対し所定時間入力が無い場合には、操作画面は前面側の表示部１２に自動復帰する。「ＯＦＦ」に設定されたとき、ユーザから特別な指示や操作がない場合は、操作画面は同じ画面に維持される。
【００２５】
「透過度」の項目は、各表示部１２〜１４の透過度を設定するためのものである。主に、奥側の操作画面に対する操作を容易にするために、手前側の表示画面を調節する目的で使用される。この項目は、０％（完全非透明）〜１００％（完全透明）の任意の値に設定できる。
【００２６】
ＭＬＤ装置１がデジタルサイネージ装置として用いられる場合、図３のような設定画面は、ＭＬＤ装置が敷設される施設の管理者、ＭＬＤ装置の所有者、或いはサービスマンのみが操作可能としても良い。あるいは、これらの管理者等のみが視認可能であって、一般ユーザは視認不可能としても良い。
【００２７】
次にＭＬＤ装置１で行われる動作について、図４、図５、図６に示すフローチャートを参照して説明する。
【００２８】
まず、図４を参照し、ユーザの指定に応じて、ＣＰＵ１８は、表示すべき画像情報を特定する（ステップＳ１）。この画像情報は、内蔵メモリ２０に保存されているものでも良く、インタフェース２２からダウンロードされるものであっても良い。
【００２９】
ここで、例えば図７に示すような画像を各表示部１２、１３、１４に表示される場合を考える。画像Ｉ１は前側にある第１表示部１２に表示され、画像Ｉ２は中間にある第２表示部１３に表示され、画像Ｉ３は後側にある第３表示部１４に表示される。画像Ｉ１は、人間の画像である前景と背景で構成される。画像Ｉ２は木や家の画像である前景から構成される。画像Ｉ３は山の画像である前景から構成される。上記画像Ｉ１、Ｉ２、Ｉ３がそれぞれの表示部に表示されると、ユーザはこれらの合成画像を見ることになる。
【００３０】
しかし、上記画像Ｉ２とＩ３がそのまま合成して表示されると、各画像の前景（木、家、山）が重なりあって（オーバラップして）表示され、ユーザは不自然な混合画像を見ることになってしまう。そこで、このオーバラップを避けるため、ＣＰＵ１８は画像Ｉ２、Ｉ３のそれぞれに対し、修正処理を施す（ステップＳ２）。
【００３１】
具体的には、図８に示すように、画像Ｉ２、Ｉ３のそれぞれが、画像Ｉ２’、Ｉ３’のようになるよう修正される。画像Ｉ２’については、前面に表示される画像Ｉ１の前景（人間）と重なる部分が空白になるよう修正される。画像Ｉ３’については、前面に表示される画像Ｉ１の前景（人間）かつ画像Ｉ２の前景（木、家）と重なる部分が空白になるよう修正される。
【００３２】
その後ＣＰＵ１８は、第１表示部１２に画像Ｉ１が、第２表示部１３に画像Ｉ２’が、第３表示部１４に画像Ｉ３’が、表示されるよう表示制御部１７を指示する（ステップＳ３）。
【００３３】
その結果、図９に示すような合成画像が表示される。なお、上記例では、第１表示部１２が操作画面に設定された状態であると仮定している。
【００３４】
なお、ＭＬＤ装置１では、第１表示部１２だけでなく、第２表示部１３、第３表示部１４を操作画面に設定することもできる。しかし、一般的には、最も前側に配置される第１表示部１２を操作する機会が多くなると想定されるので、ＭＬＤ装置１では、標準的には操作画面が第１表示部１２に設定される。
【００３５】
ステップＳ３の後、ＣＰＵ１８は、ユーザがタッチ操作を行ったか否かを判定する（ステップＳ４）。ここで、タッチ操作とは、例えば、ＭＬＤ装置が画像作成ソフトとして利用されて場合、第１表示部１２に表示された画像に対し、線や図形を追加描画する操作である。タッチ操作がなされた場合（ステップＳ４のＹ）、ＣＰＵ１８は、操作内容に従って、第１表示部１２に表示された画像Ｉ１を更新して画像Ｉ１’を生成する（ステップＳ５）。そして、ステップＳ２に戻る。第２表示部１３、第３表示部１４に表示される画像の修正も同様にして実行される。
【００３６】
一方、ステップＳ４でＮｏと判定された場合、ステップＳ６へ進む。図３の「操作画面」が「固定」モードに設定されている場合、ステップＳ４に戻る。「可変」モードに設定されている場合、ステップＳ７へ進み、ＣＰＵ１８は、「操作画面モード」の設定を確認する。
【００３７】
ここで「直接選択モード」に設定されている場合、ＣＰＵ１８は、ユーザが直接選択した表示部が表示部１２〜１４のいずれであるかを判断する（ステップＳ８）。
【００３８】
一方、「順次遷移モード」に設定されている場合、ステップＳ９へ進む。ステップＳ９では、ＣＰＵ１８は、ユーザが操作画面の切り替えを指示したか否かを判断する。この指示とは、例えばタッチパネル１１の所定の場所、又は任意の場所を継続して（例えば３秒以上）タッチする操作（同じ箇所をタッチし続ける操作）である。あるいはドラッグ（又はスライド）操作（例えば、タッチパネルの中心部から端部分へと指をなぞる操作）でも良い。
【００３９】
ユーザが切り替えを指示していないと判定した場合（ステップＳ９のＮ）、再びステップＳ４に戻る。
【００４０】
（ステップＳ８でＹｅｓと判定された場合）
図５は、上記ステップＳ８でＹｅｓと判定された後の処理を示すフローチャートである。即ち、ユーザが表示部１２〜１４のいずれかを操作画面として直接選択した後の処理である。先ず、ＣＰＵ１８は、指定された表示部を操作画面として新たに設定する。そして、ＣＰＵ１８は、新たな操作画面に適合すべく各表示部（１２〜１４）の透過率を調整する（ステップＳ１１）。
【００４１】
例えば第２表示部１３が新たな操作画面に設定されたとき、手前側の第１表示部１２の透過率は高く設定される（透明化される）一方、奥側の第３表示部１４は、透明率が通常の値で維持される。
【００４２】
ステップＳ１１の後、ＣＰＵ１８は、他の表示部が操作画面として指定されたか否かを判定する（ステップＳ１２）。ステップＳ１２でＮｏと判定された場合、ステップＳ１３へ進み、ユーザが操作画面を操作したか否かを判定する。ステップＳ１３でＮｏと判定された場合、ステップＳ１４へ進み、ユーザが標準モードを指定したか否かを判定する。ステップＳ１４でＮｏと判定された場合、ステップＳ１５へ進み、「自動復帰フラグ」（図３参照）が「ＯＮ」に設定されているか判定する。
【００４３】
ステップＳ１２でＹｅｓと判定された場合、ステップＳ１９へ進む。ユーザが第１表示部を指定した場合（ステップＳ１９のＹ）、ステップＳ１８へ進み、ＣＰＵ１８は操作画面を第１表示部１２に戻すと共に各表示部の透過率を修正する。具体的には、第１表示部１２の透明率を低くする。ユーザが第１表示部１２以外を指定したとき（ステップＳ１９のＮ）、ステップＳ１１へ戻る。これにより、操作画面が切り替えられる。
【００４４】
一方、ステップＳ１３のＹｅｓと判定された場合、ステップＳ１６へ進む。ステップＳ１６では、ＣＰＵ１８は、操作画面における画像を更新する。そしてステップＳ１８へ進む。
【００４５】
一方、ステップＳ１４のＹｅｓと判定された場合も同様にステップＳ１８へ進む。
【００４６】
ステップＳ１５でＹｅｓと判定された場合、ステップＳ１７へ進む。ステップＳ１７では、ＣＰＵ１８は、直近のタッチ操作から所定時間が経過したか否かを判断する。
【００４７】
ステップＳ１７でＹｅｓと判定された場合、ステップＳ１８へ進む。Ｎｏと判定された場合、ステップＳ１２に戻る。
【００４８】
（ステップＳ９でＹｅｓと判定された場合）
ステップＳ９でＹｅｓと判定された場合、即ち、ユーザが操作画面の切り替えを指示した場合、図６で示されるような処理へ進む。先ず、ＣＰＵ１８は、現在設定されている表示部より一つ奥側の表示部を操作画面として新たに設定する（ステップＳ２１）。あるいは、操作画面は現在設定されている表示部より一つ手前側の表示部に切り替えても良い。
【００４９】
ステップＳ２１において、操作画面が奥側の表示部に切り替えられた場合、ＣＰＵ１８は、操作画面よりも手前側の表示部の透明率を向上させる一方、新たに操作画面として設定された表示部の透明率は低下させる。
【００５０】
ステップＳ２１の後、ステップＳ２２、Ｓ２３、Ｓ２４、Ｓ２５、Ｓ２６、Ｓ２７、Ｓ２８、Ｓ２９へ進む。ここで、ステップＳ２２、Ｓ２３、Ｓ２４、Ｓ２５、Ｓ２７、Ｓ２８の各処理は、それぞれ図５のステップＳ１２、Ｓ１３、Ｓ１４、Ｓ１５、Ｓ１７、Ｓ１８と同じであるから、詳細な説明は省略する。
【００５１】
現在の操作画面が最も奥側にある第３表示部１４であるとき（ステップＳ２９のＹ）、ＣＰＵ１８は、操作画面の設定を第１表示部１２に戻し、第１表示部１２、第２表示部１３の透過率を下げる。操作画面が第３表示部１４でないとき（ステップＳ２９のＮ）、ステップＳ２１に戻る。
【００５２】
上記ＭＬＤ装置１によれば、以下の特長を有する。
【００５３】
第１に、ユーザは、複数の表示部１２〜１４のうちの所望画面を操作できるから、前面側の表示画面のみに対する操作が可能な従来のＭＬＤ装置よりも利便性が高い。
【００５４】
第２に、ＭＬＤ装置１では、「操作画面」の設定を、「固定」又は「可変」に切り替えることができる。ゆえに、ＭＬＤ装置１の管理者が、前面の表示部以外の操作を望まない場合、「固定」に設定することにより、これを防ぐことができる。
【００５５】
第３に、ＭＬＤ装置１は、操作画面より手前側の表示部の透過率を高くするよう設定する。これにより、ユーザは操作画面の見やすく、タッチ操作が容易になる。
【００５６】
第４に、ＭＬＤ装置１では、透明率レベル（図３）を調整できる。例えば、ある特定画面の操作をしつつ、他の画面の画像を視聴したい場合がある。即ち、第１表示部１２の画像を見ながら第２画像部１３の画像に対して操作を行いたい場合、第１表示部１２の透過率が高すぎるとユーザには不都合である。そこで、この透過率レベルの機能を利用して、第１表示部１２の透過率をユーザが変更可能としたことにより、ユーザは表示部１２、１３の両方の画像をみることができる。
【００５７】
第５に、ユーザは、「操作画面モード」の項目を、「直接選択」と「順次遷移」の間で切り替えることができる。
【００５８】
これによりユーザは、自身の好みに応じてモードを選択できる。
【００５９】
第６に、ＭＬＤ装置１は、「自動復帰フラグ」項目を有する。これにより、所定時間タッチ操作が無かった場合は、第１表示部１２を操作画面として復帰させることができる。
【００６０】
（他の例）
ＭＬＤ装置１では、簡単な操作によって、操作画面の切り替えができる。
【００６１】
ユーザがタッチパネル１１の同じ場所に第１の所定時間（例えば３秒）の間、指を接触させている場合、操作画面を一つ奥側の表示部に切替える。
【００６２】
また、ユーザがタッチパネル１１の同じ場所に第２の所定時間（例えば５秒）の間、指を接触させている場合、操作画面を２つ奥側の表示部に切替える。
【００６３】
これにより、ユーザは操作画面を容易に切り換えることができる。尚、上記の所定時間は、操作画面が誤って選択されることとならないよう、適切な値に設定される。
【００６４】
上記思想は、４以上であるＮ個の表示部が設けられたＭＬＤ装置についても同様に適用できる。この場合、所定時間としては、Ｎ−１通りの値を設定しておくと良い。
【００６５】
上記例では、ユーザが特定の表示部の透過率を操作した場合、その表示部の全体が透過率変更の対象となる。これに代えて、表示部の一部分だけが透過率変更の対象となるようにしても良い。また、透過率は時間的に一定である必要はない。例えば、奥側の表示部に対するタッチ操作が行われている場合にのみ、前側の表示部が透明になるようにしても良い。
【００６６】
＜第２実施形態＞
図１０は、本実施形態に係るＭＬＤ装置のブロック構成を示す図である。本図に示すようにＭＬＤ装置１００は、タッチパネル１１、第１表示部１２（手前側）、第２表示部１３（奥側）、バックライト１５、入力制御部１６、表示制御部１７、ＣＰＵ１８、内部メモリ２０、およびＡＶ情報入力インタフェース２３を備えている。第１実施形態のＭＬＤ装置１は、３層の表示部を有しているのに対し、本実施形態のＭＬＤ装置１００では、２層の表示部を有する点で相違する。以下、第１実施形態と相違する点を中心に説明し、第１実施形態と共通する点に関しては説明を省略する。
【００６７】
また図１１は、観察方向に平行な面を断面とした場合の、ＭＬＤ装置１００の断面図である。ＭＬＤ装置１００は、ＭＬＤ装置１（図２）に対し、第３表示部１４が省略されている点で相違する。
【００６８】
図１２を参照して、ＭＬＤ装置１００で使用される画像データのフォーマットを説明する。同図に示すように、画像データＰＩＣは、左側にＰＩＣ−１が、右側にＰＩＣ−２がある。基本的に、ＰＩＣ−１は第１表示部１２に表示され、ＰＩＣ−２は第２表示部１３に表示される。画像データＰＩＣのサイズは、各表示部と整合するように設定される。例えば、画像データＰＩＣは、水平方向に１６００ドット、垂直方向に６００ドットとされる。これにより各表示部には、横８００×縦６００ドットの画像が表示されることとなる。
【００６９】
画像データＰＩＣは、ＡＶ信号入力インタフェース２２から入力される。そして、表示制御部１７では、画像データＰＩＣを左半分のデータ（ＰＩＣ−１）と右半分のデータ（ＰＩＣ−２）に分離する。すなわち、ＰＩＣ−１、ＰＩＣ−２は、それぞれ第１表示部１２用、第２表示部１３用のデータとして利用される。この画像データＰＩＣは、第１、第２表示部用のデータを合成させた単一のデータファイル構成となっている。これにより、第１、第２表示部用のデータが別々に提供される場合と比較して、第１、第２表示部に表示される画像の同期が容易となる。
【００７０】
ＭＬＤ装置１００では、操作画面の設定方式として、「可変」、「手前側の画面に固定」、「奥側の画面に固定」の３通りがある。この切り換えは、操作ボタン１９又はタッチパネル１１の操作により可能である。なお、この切り換えは、管理者のみが可能とし、一般ユーザは不可であるように設定されていても良い。
【００７１】
ＭＬＤ装置１と同様、「可変」とは、ユーザが所定の操作を行った場合に操作画面の切り替えを可能とするものである。「手前側の画面に固定」では、ＭＬＤ装置１の「固定モード」と同様、操作画面を第１表示部１２に固定し、他の表示部への切り替えを受付けないモードである。「奥側の画面に固定」はＭＬＤ装置１には無い、ＭＬＤ装置１００独自の機能であり、操作画面を第２表示部１３に固定するモードである。
【００７２】
なお、上記３モードの切り替えは一般ユーザにより行われるものでも良い。係る場合、ユーザによる無意識な操作を防ぐために、タッチパネル１１とは別に設けられた操作ボタン１９での操作によってのみ、切り替え可能としても良い。
【００７３】
次に、操作画面の切り替え動作について、図１３のフローチャートを参照して説明する。ステップＳ４１では、操作画面が固定か非固定かが判定される。固定ではない（可変である）場合（ステップＳ４１のＮ）、ステップＳ４２へ進む。ステップ４２では、ＣＰＵ１８は、ユーザの指が所定時間、同じ位置にタッチされているかを判定する。なお、指がタッチパネル１１から離れたり、タッチパネル１１上で移動したりしているときは、Ｎｏと判定される。
【００７４】
ステップＳ４２でＹｅｓと判定されたとき、ＣＰＵ１８は操作画面を他方の表示部に切替える（ステップＳ４３）。例えば、現在の操作画面が第１表示部１２なら第２表示部１３へ、第２表示部１３なら第１表示部１２へ切り替える。
【００７５】
ステップＳ４２でＮｏと判定されたとき、又はステップＳ４１でＹｅｓと判定されたとき（即ち、「固定」モードであるとき）、ステップＳ４１へ戻る。
【００７６】
なお、上記の所定時間は、ユーザの誤操作によって操作画面が切り替わることを防ぐために、通常のタッチ操作に比べ十分に長い時間に設定されることが望ましい。
【００７７】
また、現在の操作画面が第１表示部１２に設定されているときに、ユーザが第２表示部１３に表示された物体を操作したい場合、ユーザはその物体の位置に対応するタッチパネル１１の場所を長押しすることにより、係る物体を操作することができるようにしても良い。
【００７８】
上記のように、前側表示部用のＰＩＣ−１と、後側表示部用のＰＩＣ−２はそれぞれＰＩＣの左側／右側に相当する。ゆえに、上記切り替え操作は、ＰＩＣの水平方向のデータサイズの半分である８００ドットの位置移動に相当する。
【００７９】
（スロットマシンとしての適用例）
ＭＬＤ装置１００を、パチスロ機として使用する場合の例を説明する。
【００８０】
ＭＬＤ装置１００にインストールされたソフトウェアに基づき、先ず表示部１２、１３にはそれぞれ、図１４に示すような画像が初期状態として表示される。第１表示部１２には、スロットマシンのレバーＰ１１、３個のストップボタンＰ１２、およびコイン枚数Ｐ１３が表示される。更に、第１表示部１２に表示される画像には、３つの空白部分があり、これにより奥側の物体が視認可能となっている。
【００８１】
第２表示部１３に表示される画像は、Ｂａｒという文字パターンと、７という数字パターンを示す図柄からなるＰ１４と、その他の部分が空白である画像である。各シンボルＰ１４は、第１表示部１２に表示される空白部分と重なるように配置される。３個のストップボタンＰ１２は、３つのシンボルＰ１４の下側の位置にそれぞれ表示される。
【００８２】
レバーＰ１１がユーザにより操作された場合（タッチパネル１１でのタッチ操作により）、コイン枚数Ｐ１３の表示が所定値だけ減り、また、シンボルＰ１４の表示状態が、あたかもスロットマシンの回転リールのように継続的に変化する。また、ユーザのタッチ操作により１つのストップボタンＰ１２が指定される（押されると）と、これに対応する（前記ストップボタンの真上にある）シンボルＰ１４の表示状態が固定される。ユーザが、３つのストップボタンＰ１２の全てを押した場合、３つのシンボルＰ１４の表示状態が固定される。そのときのシンボルＰ１４の揃い具合に応じて、コイン枚数Ｐ１３の表示値は増大又は減少する。
【００８３】
かくしてユーザは、ＭＬＤ装置１００を、擬似的なスロットマシンとして利用することができる。更に、２つの表示部（第１表示部１２、第２表示部１３）によりスロットマシンが表現されるため、ユーザは、立体感のある画像を見ることができる。
【００８４】
このようなスロットマシンのアプリケーションが利用される場合、ユーザの操作は、第１表示部１２に表示されるレバーＰ１１又はボタンＰ１２を指定する操作に限定され、第２表示部１３に対する操作は行われないと考えられる。そこで、ＭＬＤ装置１００がスロットマシン用途で利用される場合は、操作画面（図２０参照）の設定は「手前側画面に固定」としておくことが望ましい。これにより、ユーザの意に反して操作画面が、第２表示部１３に切り替わることを防ぐことができる。
【００８５】
（カーナビゲーションとしての適用例）
次に、ＭＬＤ装置１００がカーナビゲーションシステム用の表示装置として利用されるケースについて説明する。
【００８６】
ＭＬＤ装置１００がこのカーナビゲーション用のアプリケーションに基づいて動作するとき、まず初期状態として、図１５に示すような画像が、第２表示部１３に表示される。この画像は、車の現在位置を中心とした地図である。地図情報はＭＬＤ装置１００に記録されたもの、又はネットワークから取得したものが用いられる。最新の位置情報はＧＰＳ等により、ＭＬＤ装置１００に継続的に伝送される。また、第２表示部１３に表示される地図が見易くなるよう、初期状態では、第１表示部１２は透明又は空白画像になっている。
【００８７】
第２表示部１３に表示される地図上の任意の地点をユーザが指定すると、ＣＰＵ１８は、拡大表示すべきエリア（Ａ１１）を特定する（図１６参照）。そして、指定された地点を中心とした対象領域の拡大図（Ｆ１１）が第１表示部１２に表示される。
【００８８】
第１表示部１２に表示される拡大図（Ｆ１１）を見易くするために、第２表示部１３に表示される画像のうち、Ｆ１１の直下に相当する領域は、表示を薄くするか、空白にするように修正しても良い。なお、図１６の例では、拡大図は第１表示部１２の一部であるフレームＦ１１の領域を用いて表示しているが、第１表示部１２の全体を用いて表示するようにしても良い。
【００８９】
第１表示部１２に拡大図を表示させた後、一定時間が経過すると、第１表示部１２の全体は空白画像又は透明な状態に戻る。また、ＭＬＤ装置１００は、奥側の表示部に通常の地図を表示しつつ、ユーザの要求に応じて拡大図を手前側の表示部に表示するので、立体感のある画像表示を行うことができる。
【００９０】
このようなカーナビアプリケーションが利用される場合、ユーザによるタッチ操作は、第２表示部に表示される地図上の地点を指定する操作に限られ、第１表示部１２に対するタッチ操作は行われないと考えられる。そこで、このケースでは、操作画面（図２０参照）の設定は「奥側の画面に固定」としておくことが望ましい。これにより、ユーザの意に反して操作画面が第１表示部１２に切り替わることを防ぐことができる。
【００９１】
しかしながら、上記のケースにおいて、第１表示部１２にもタッチ操作を受付けるようにしても良い。例えば、ユーザが拡大図の任意の地点を指定する操作をすると、拡大図が、指定された地点を中心としたものに更新されるようにしても良い。
【００９２】
この場合、第１表示部１２に対する指定操作は、フレームＦ１１が表示された領域に限定されても良い。換言すれば、仮に操作画面の設定が特定の表示部に固定されている場合であっても、ある条件下に限り、他の表示部への操作を許可するようにしても良い。
【００９３】
（案内板）
ＭＬＤ装置１００を施設案内板として利用する場合について説明する。尚、ＭＬＤ装置１００をカーナビゲーションとして使用する場合と共通な処理や構成に関しては詳細な説明は省略する。
【００９４】
係る場合、まず初期状態として、第２表示部１３に、図１７に示すような画像が表示される。この画像は、ショッピングセンター内の店舗Ａ〜Ｇ店の位置を示すものである。
【００９５】
この案内板は、店舗ごとの詳細情報が含まれている。この詳細情報は、地図上の店舗の位置に対応付けられている。ユーザが任意の店舗（例えば店舗Ａ）を地図上で指定すると、図１８に示すように第１表示部１２にはその店舗の詳細情報（Ｆ１２）が表示される。
【００９６】
このように、立体表示装置による案内板が実現される。
【００９７】
上記の場合、カーナビゲーションシステムとして用いた場合と同様の理由で、操作画面を「奥側の画面に固定」とすることが望ましい。
【００９８】
しかしながら、かかる場合、ＭＬＤ装置１００は、第１表示部１２に対する操作を受付るようにしても良い。例えば、詳細情報の量が多く、１つの画面では表示できず、複数のページにまたがる場合、第１表示部１２のフレームＦ１２内の任意の位置を指定することで、詳細情報が次ページに進むようにしても良い。
【００９９】
（操作画面を切り替えるための他の例について）
図１３で示す長押し操作以外に、他の操作が用いられても良い。例えば、スライド操作が操作画面の切り替え操作であるとしても良い。
【０１００】
図１９を参照して、まずＣＰＵ１８は、操作画面が固定モードであるかどうかを確認する。固定ではない場合（ステップＳ５１のＮ）、ステップＳ５２へ進む。操作画面が第１表示部１２である場合、ステップＳ５３へ進む。そして、ＣＰＵ１８は、タッチパネル１１の右端に向かうスライドの操作がなされたかを判定する。
【０１０１】
ステップＳ５３でＹｅｓと判定された場合、ステップＳ５４において、ＣＰＵ１８は、操作画面を第２表示部１３に切替える。すなわちタッチパネル１１の中央部から右端へ向かうスライド操作が、ユーザによる操作画面を切り替え操作であると認識される。
【０１０２】
一方、ステップＳ５２において、現在の操作画面が第２表示部１３であるとき、ステップＳ５５へ進み、ＣＰＵ１８はタッチパネル１１の左端に向かうスライドの操作がなされたかを判定する。
【０１０３】
ステップＳ５５でＹｅｓと判定された場合、ステップＳ５４において、ＣＰＵ１８は、操作画面を第１表示部１２に切替える。
【０１０４】
タッチパネル１１の右端に向かうスライドの操作がなされると、操作画面が第２表示部１３に切替えられ、左端に向かうスライドの操作がなされると、操作画面が第１表示部１２に切替えられる。この思想は、表示部を３つ以上備えたＭＬＤ装置にも適用できる。
【０１０５】
表示部の数が２個である場合、タッチパネル１１の中央部から外側へ向かうドラッグ操作があったとき（そのドラッグ方向が左、右、上、下方向に関わらず）、ユーザによる操作画面の切り替え指示があったとみなすようにしても良い。
【０１０６】
以上の通り、本発明の実施形態について説明したが、本発明はこの内容に限定されるものではない。例えば第２実施形態において、ＭＬＤ装置１００は図１２に示すフォーマットの画像データを用いるものとしたが、これに限定されることなく、他のフォーマットの画像データが用いられるようにしても構わない。また本発明を実施するにあたっては、本発明の主旨を逸脱しない限り、種々の変形を加えることが可能である。
【図１】
2012074004.tif 000003
【図２】
2012074004.tif 000004
【図３】
2012074004.tif 000005
【図４】
2012074004.tif 000006
【図５】
2012074004.tif 000007
【図６】
2012074004.tif 000008
【図７】
2012074004.tif 000009
【図８】
2012074004.tif 000010
【図９】
2012074004.tif 000011
【図１０】
2012074004.tif 000012
【図１１】
2012074004.tif 000013
【図１２】
2012074004.tif 000014
【図１３】
2012074004.tif 000015
【図１４】
2012074004.tif 000016
【図１５】
2012074004.tif 000017
【図１６】
2012074004.tif 000018
【図１７】
2012074004.tif 000019
【図１８】
2012074004.tif 000020
【図１９】
2012074004.tif 000021
【図２０】
2012074004.tif 000022